(57)【要約】【課題】本発明の課題は、足腰の弱い身障者、老人、病人等にとっても使い勝手のよい簡易便器を提供することにある。【解決手段】便器本体枠１Ａの上面の座枠１０のみ傾斜させることが出来るようにし、該座枠１０を前傾させて使用者が排便し易い姿勢をとった場合、肘掛け３５は該座枠１０の傾斜に追従しないようにして、該肘掛け３５で体を支えるようにし、使用者が足腰が弱っていても前にすべり落ちないようにする。【選択図】  図１
2005111109.tif 000002
【特許請求の範囲】
【請求項１】
便器本体枠左右に肘掛けを取付け、該本体枠の上面に座枠を取付け、該座枠上に便座を載置した便器であって、該座枠は前端両側を該本体枠の上面前部に枢着され、後端両側には一個または複数個の係合孔が設けられ、該本体枠後端両側上部には該座枠の係合孔に対応する係合孔の複数個または一個が縦設され、該本体枠の複数個の係合孔のうちの一つを選んで該座枠の係合孔を合わせ、該本体枠の係合孔の外側から係止棒を該座枠の係合孔に挿通して該座枠の傾きを調節することを特徴とする簡易便器。
【請求項２】
該座枠の係合孔はねじ孔であり、該本体枠の係合孔はねじ貫通孔であり、該係合棒はねじである請求項１に記載の簡易便器。
【発明の詳細な説明】
【技術分野】
【０００１】
本発明は、身障者、病人、老人等が室内で使用する簡易便器に関するものである。
【背景技術】
【０００２】
この種の簡易便器にあっては便座が水平であると、使用者が排便に容易な前傾姿勢をとりにくい。このために従来図７に示すように便器本体両側の一対の脚枠(50)を支持する前後の支柱(51)にねじ孔(52)の複数個を縦設し、該複数個のねじ孔のうちの一つをそれぞれ選んで脚枠(50)を螺着可能として本体を前傾可能とした構成が提供されている（例えば特許文献１参照）。
【０００３】
【特許文献１】特開２００３−１３５３０８号公報（請求項１，図７）。
【発明の開示】
【発明が解決しようとする課題】
【０００４】
上記従来構成では、便器本体全体が前傾するので足腰の弱い使用者が腰を下ろして使用する時、使用者が前にずり落ちる危険がある。また便器本体全体を前傾させるので、前傾させる時該便器本体の重量が及ぼされるので大きな労力がかゝり、また支柱も強度の高いものを用いねばならない。
【課題を解決するための手段】
【０００５】
本発明は上記従来の課題を解決するための手段として、便器本体枠(1A)左右に肘掛け(35)を取付け、該本体枠(1A)の上面に座枠(10)を取付け、該座枠(10)上に便座(33)を載置した便器(1) であって、該座枠(10)は前端両側を該本体枠(1A)の上面前部に枢着され、後端両側には一個または複数個の係合孔(15,16) が設けられ、該本体枠(1A)後端両側上部には該座枠(10)の係合孔(15,16) に対応する係合孔(17,18) の複数個または一個が縦設され、該本体枠(1A)の複数個の係合孔(17,18) のうちの一つを選んで該座枠(10)の係合孔(15,16) を合わせ、該本体枠(1A)の係合孔(17,18) の外側から係止棒(19)を該座枠(10)の係合孔(15,16) に挿通して該座枠(10)の傾きを調節する簡易便器(1) を提供するものである。
該座枠(10)の係合孔(15,16) はねじ孔であり、該本体枠(1A)の係合孔(17,18) はねじ貫通孔であり、該係合棒(19)はねじであることが望ましい。
【発明の効果】
【０００６】
〔作用・効果〕
本簡易便器(1) を使用する際、該座枠(10)を前端枢着点(11)を中心として上下に回動させ、その傾きを調節する。所望の傾きで該座枠(10)の後端の係合孔(15,16) を該本体枠(1A)の係合孔(17,18) に合わせ、係止棒(19)を挿入して座枠(10)の傾きを固定する。
本発明では傾斜調節は軽量な座枠(10)においてのみ行われるので大きな労力は必要としない。また本体の肘掛け(35)は該座枠(10)の傾斜には追従しないので、使用者は足腰が弱くても座枠(10)前傾状態でも手で肘掛け(35)を掴んで前にずり落ちることを確実に阻止することが出来る。
したがって本発明の簡易便器にあっては、排便に容易な前傾姿勢を容易にとることが出来、かつその場合も前にずり落ちることを阻止出来、足腰の弱い人でも安全に使い勝手良く使用することが出来る。
【発明を実施するための最良の形態】
【０００７】
本発明を図１〜図６に示す一実施例によって説明すれば、簡易便器(1) の便器本体枠(1A)は左右一対の側枠(2,2) と、該左右の側枠(2,2) の前後に差渡される前板(3) および後板(4) と、該左右の側枠(2,2) を外側で支持する前後の支持脚(5,6) を立設した脚板(7) とからなり、該前板(3) は上端が前方側に下端が後側に傾斜している。
該側枠(2,2) の後端からは上方に背もたれ枠(8,8) がそれぞれ延設され、該背もたれ枠(8,8) の上端部には背もたれ本体(9) が差渡されている。
【０００８】
上記本体枠(1A)の上面には座枠(10)が取付けられるが、該座枠(10)の前端両側には枢着ピン挿入孔(11,11) が設けられており、一方該本体側枠(2,2) の前上部にも枢着ピン挿入孔(12,12) が設けられ、図６に示すように該本体側枠(2,2) の枢着ピン挿入孔(12,12) と座枠(10)の枢着ピン挿入孔(11,11) とに枢着ピン(14)を挿着することによって、該座枠(10)は該本体枠(1A)上面前部にその前端両側を枢着されている。
【０００９】
更に該座枠(10)の後端両側には二個のねじ孔(15,16) が設けられ、一方本体側枠(2,2) の後部であって背もたれ枠(8,8) の根端部付近には二個のねじ貫通孔(17,18) が設けられており、図３に示すように該座枠(10)の下側ねじ孔(16)と該本体側枠(2) の上側ねじ貫通孔(17)とを合わせてねじ(19)を螺着固定することによって該座枠(10)は点線に示す水平状態から前傾状態となり、図４に示すように該座枠(10)の上下ねじ孔(15,16) と該本体側枠(2) のねじ貫通孔(17,18) とを二個とも合わせてそのどちらか一方または両方をねじ(19)によって螺着固定することによって該座枠(10)は水平状態となり、図５に示すように該座枠(10)の上側ねじ孔(15)と該本体側枠(2) の下側ねじ貫通孔(18)とを合わせてねじ(19)によって螺着固定することによって該座枠(10)は後傾状態となる。なお前傾角度および後傾角度θは４°〜６°の範囲が最適である。
【００１０】
更に該支持脚(5,6) にもそれぞれ二個のねじ貫通孔(20,21,22,23) を縦設し、該本体側枠(2) にも複数個（５個）のねじ孔(24,25,26,27,28)を設け、該支持脚(5,6) の二個のねじ貫通孔(20,21,22,23) を該本体側枠(2) の複数個のねじ孔(24,25,26,27,28)のうちの上下二個のねじ孔に合わせてねじ(29)を螺着固定することによって、該本体枠(1A)を所望の高さ（４段）に調節出来るようにする。
【００１１】
該座枠(10)の上には把手付の便バケツ(30)の受け板(31)を載置し、該受け板(31)の中央孔(32)から便バケツ(30)を挿入懸架する。更にその上から便座(33)を載置し、該便座(33)の後端を該受け板(31)の後端に枢着することによって、該便座(33)を後方へ跳ね上げ可能とする。更に該便座(33)の上には二つ折れの座板(34)が被着され、該座板(34)の後端は該座枠(10)の後端に枢着され、図１に示すように該座板(34)は二つ折りにして後方へ跳ね上げることによって便バケツ(30)を開放することが出来る。
【００１２】
肘掛け(35)は肘掛け本体(36)と、該本体(36)の前より下面から垂設される支板(37)とからなり、該本体(36)の根端部と該支板(37)の下端部にはねじ孔(38,39) が設けられており、一方本体側枠(2,2) 前上部には複数個（３個）のねじ貫通孔(40,41,42)が設けられ、それに対応して背もたれ枠(8,8) の中間部にも複数個（３個）のねじ貫通孔(43,44,45)が設けられ、該肘掛け(35)のねじ孔(38,39) と該本体側枠(2,2) のねじ貫通孔(40,41,42)およびねじ貫通孔(43,44,45)の何れかと合わせてねじ(46,47) を螺着固定することによって肘掛け(35)を高さ調節可能（３段階）に便器本体枠(1A)の左右両側に取付けることが出来る。
【００１３】
上記構成において、図３に示す座枠(10)前傾状態では、使用者は前傾姿勢をとり易くなり、その場合、肘掛け(35)は上記前傾姿勢には追従しないので水平状態にあり、該肘掛け(35)を使用者が掴んで前にずり落ちることを容易に阻止することが出来る。
この場合、便器本体枠(1A)の前板(3) が上端前より後端後よりに傾斜しているので、使用者は足を便器本体奥側に入れて足の折曲げ角度を鋭角として腰を下ろしたり立上がったりを容易に行ない易くなる。
【００１４】
図５に示す座枠(10)後傾状態では使用者は座板(34)上に深く腰掛け背もたれ本体(9) に背をもたせかけて安楽な姿勢をとることが出来る。
【産業上の利用可能性】
【００１５】
本発明の簡易便器は、使用者が前傾姿勢をとって排便し易くすることが出来、またその場合に足腰の弱い使用者でもずれ落ちないよう阻止することが出来る、極めて使用勝手の良いものであり、身障者、老人、病人等に好適である。
【図面の簡単な説明】
【００１６】
図１〜図６は本発明の一実施例を示すものである。
【図１】斜視図
【図２】分解斜視図
【図３】座枠前傾状態説明図
【図４】座枠水平状態説明図
【図５】座枠後傾状態説明図
【図６】座枠枢着点部分断面図
【図７】従来例の側面図
【符号の説明】
【００１７】
1           簡易便器
1A          便器本体枠
2           側枠
10          座枠
15,16       ねじ孔（係合孔）
17,18       ねじ貫通孔（係合孔）
19          ねじ（係止棒）
33          便座
35          肘掛け
【図１】
2005111109.tif 000003
【図２】
2005111109.tif 000004
【図３】
2005111109.tif 000005
【図４】
2005111109.tif 000006
【図５】
2005111109.tif 000007
【図６】
2005111109.tif 000008
【図７】
2005111109.tif 000009